(57)【要約】【課題】簡易な装置および方法により受信端末のオーディオ再生環境に合わせた配信データを配信する。【解決手段】複数の受信端末のそれぞれの音響特性に応じた複数の補正係数を求め、オーディオ信号と複数の補正係数とを用いて複数の補正オーディオ信号を形成し、複数の補正オーディオ信号を複数の配信用データに変換し、送信端末が受信端末の音響特性に対応する配信用データをネットワークを介して受信端末に対して配信する。補正オーディオ信号は、例えばオーディオ信号と補正信号とを用いて畳み込み処理を施すことにより得られる。【選択図】図１
2009210826.tif 000002
【特許請求の範囲】
【請求項１】
ネットワークを介して送信装置と複数の受信端末とが双方向通信可能に接続された配信システムにおいて、
上記送信装置は、
上記複数の受信端末のそれぞれの音響特性に応じた複数の補正係数を予め求め、オーディオ信号と上記補正係数とにより複数の補正オーディオ信号を形成する補正部と、
上記複数の補正オーディオ信号を複数の配信用データに変換する変換部と、
上記配信用データをネットワークを介して上記受信端末にそれぞれ配信する配信サーバと
を備え、
上記受信端末は、
上記送信装置との通信を行うための通信部
を備え、
上記送信端末が上記受信端末の上記音響特性に対応する上記配信用データを当該受信端末に対して配信する配信システム。
【請求項２】
上記補正オーディオ信号が上記オーディオ信号と上記補正係数とを用いて畳み込み処理を施すことにより得られる
請求項１に記載の配信システム。
【請求項３】
上記受信端末が自動車に設置され、
上記送信装置が複数の自動車の車種および／またはタイプに対応する複数の配信用データを形成し、上記受信端末が設置された上記自動車の車種および／またはタイプに対応する上記配信用データを上記受信装置に配信する
請求項１に記載の配信システム。
【請求項４】
上記送信装置が複数の自動車のタイプに対応する複数の配信用データを形成し、
上記送信装置が上記受信端末に設置された上記自動車の車種に対応する上記配信用データを保持する場合には、上記自動車の車種に対応する上記配信用データを上記受信装置に配信し、
上記送信装置が上記受信端末に設置された上記自動車の車種に対応する上記配信用データを保持しない場合には、上記自動車のタイプに対応する上記配信用データを上記受信装置に配信する
請求項３に記載の配信システム。
【請求項５】
上記配信サーバが複数の上記配信用データを公開する公開ポイントを備え、
上記受信端末が該受信端末の音響特性に応じた公開ポイントにアクセスすることにより、上記配信サーバが上記受信端末の音響特性に応じた配信用データを上記受信装置に配信する
請求項１に記載の配信システム。
【請求項６】
上記受信端末がウェブサーバを介して上記配信サーバの上記公開ポイントにアクセスする
請求項５に記載の配信システム。
【請求項７】
ネットワークを介して複数の受信端末と双方向通信可能に接続された送信装置において、
上記複数の受信端末のそれぞれの音響特性に応じた複数の補正係数を予め求め、オーディオ信号と上記補正係数とにより複数の補正オーディオ信号を形成する補正部と、
上記複数の補正オーディオ信号を複数の配信用データに変換する変換部と、
上記配信用データをネットワークを介して上記受信端末にそれぞれ配信する配信サーバと
を備え、
上記送信端末が上記受信端末の上記音響特性に対応する上記配信用データを当該受信端末に対して配信する送信装置。
【請求項８】
異なる音響特性を有する複数の空間に対応する、オーディオ信号の補正を行うための複数の補正係数を算出するステップと、
上記オーディオ信号と上記補正係数とを用いることにより補正オーディオ信号を形成するステップと、
上記補正オーディオ信号を配信用データに変換し、上記配信用データを配信サーバに供給するステップと、
上記受信端末からデータ配信要求があった場合に、上記受信端末の音響特性に対応する配信用データを上記配信サーバが上記受信端末に対して配信するステップと
を備える配信方法。
【発明の詳細な説明】
【技術分野】
【０００１】
この発明は、配信システム、送信装置および配信方法に関し、特に、受信端末のオーディオ再生環境に合わせて補正されたオーディオ信号を配信する配信システム、送信装置および配信方法に関する。
【背景技術】
【０００２】
従来、例えば音楽等の音声をデジタル符号化し、圧縮したオーディオ信号をインターネットを介してユーザに提供することが行われている。例えば、ユーザは、所望する楽曲のオーディオ信号をインターネットを介してダウンロードし、ダウンロードしたオーディオ信号をパーソナルコンピュータに記録し、このパーソナルコンピュータにオーディオ信号を再生させて所望する音楽を聴くことができる。また、ユーザは、パーソナルコンピュータと接続した携帯再生端末に上述のオーディオ信号を転送することで、外出先で所望の音楽を聴くこともできる。
【０００３】
このような場合、著作権保護の観点から、下記の特許文献１のように、予め登録されたユーザのみが所望のオーディオ信号のダウンロードを行うことができるようにすることが提案されている。
【特許文献１】特開２００１−１６１０９号公報
【０００４】
また、動画像データやオーディオ信号、補助データ等を含む映像データをネットワーク経由で転送し、リアルタイムで再生するストリーミング配信が行われている。ストリーミング配信は、送信データをハードディスクに記録することなくデータの視聴を行うことができるため、視聴開始までの待ち時間の短縮や、不正コピー等の防止、リアルタイムでの動画像データ・オーディオ信号等の視聴が可能となるなどのメリットを有している。
【０００５】
ストリーミング配信は、例えば配信素材である動画像および音声等をストリーミング用のデータに変換し、変換された動画像データ、オーディオ信号等を配信サーバにアップロードする。ストリーミング用のデータとしては、オーディオ信号の場合、例えばウィンドウズメディアプレーヤー（Windows Media Player；登録商標）で再生可能なウインドウズメディアオーディオ（拡張子；wma）や、リアルプレーヤー（RealPlayer；登録商標）で再生可能なリアルオーディオ（拡張子;ra）のようなフォーマットが選択される。そして、配信サーバにアップロードしたデータに対して、ウェブサイトからリンクをはる。これにより、視聴者がウェブサイトにアクセスしてストリーミングコンテンツのリンクボタンをクリック等により選択すると、配信サーバからストリーミング配信が開始される。
【０００６】
近年、ストリーミング配信を用いたいわゆるインターネットラジオの配信が行われている。インターネットラジオは、インターネットを介してパーソナルコンピュータおよび無線ＬＡＮ（Local Area Network）機能等を有する携帯再生端末、ならびに車載端末等に配信される。
【０００７】
オーディオ信号等を受信する受信端末側のオーディオ再生環境は、例えばヘッドホンを介して視聴する環境であったり、自動車内であったり、パーソナルコンピュータに付属の簡易的な装置であったり、いわゆるＨｉ−Ｆｉオーディオ装置等であり、これらの端末ではそれぞれ音響効果が大きく異なっている。
【０００８】
ところが、電波を使用する従来のラジオ放送やケーブルテレビ放送において、放送局は、受信端末側のオーディオ再生環境に関わらず全て同じデータを配信している。また、インターネットを利用した配信においても、通信回線の容量に合わせて圧縮率を選択することができる場合はあるものの、配信されるデータは受信端末のオーディオ再生環境に関係なく同じ特性のデータが配信される。
【０００９】
そこで、例えば以下の特許文献２のように、スピーカから音声を出力する前に、オーディオ再生環境に応じてオーディオ信号を補正する音響処理装置が提案されている。
【特許文献２】特開２００３−１１１２００号公報
【００１０】
特許文献２の音響処理装置では、例えばヘッドレスト部にスピーカが設けられたリクライニングチェア型の音響処理装置であり、耳の後ろ側から放音される音声が聴取者の前方等の予め想定した位置から聞こえるようにオーディオ信号に対して補正を行うことにより、音像定位処理が施される。
【発明の開示】
【発明が解決しようとする課題】
【００１１】
上述のような配信システムにおいて、それぞれのオーディオ再生環境における特性を補正する機構を受信端末に持たせることは可能である。しかしながら、例えば車内空間のような複雑なオーディオ再生環境に合わせてオーディオ信号を補正するほどの高性能な補正機構を受信端末ごとに設けることは、コストがかかりすぎる。
【００１２】
したがって、この発明は、上述の問題点に鑑み、簡易な装置および方法により受信端末のオーディオ再生環境に合わせた配信データを配信する配信システム、送信装置および配信方法を提供することを目的とする。
【課題を解決するための手段】
【００１３】
上記課題を解決するために、第１の発明は、ネットワークを介して送信装置と複数の受信端末とが双方向通信可能に接続された配信システムにおいて、送信装置は、複数の受信端末のそれぞれの音響特性に応じた複数の補正係数を予め求め、オーディオ信号と補正係数と複数の補正オーディオ信号を形成する補正部と、複数の補正オーディオ信号を複数の配信用データに変換する変換部と、配信用データをネットワークを介して受信端末にそれぞれ配信する配信サーバとを備え、受信端末は、送信装置との通信を行うための通信部を備え、送信端末が、受信端末の音響特性に対応する配信用データを受信端末に対して配信する配信システムである。
【００１４】
上述の配信システムは、補正オーディオ信号がオーディオ信号と補正係数とを用いて畳み込み処理を施すことにより得られるものである。
【００１５】
上述の配信システムは、例えば、受信端末が自動車に設置され、送信装置が複数の自動車の車種および／またはタイプに対応する複数の配信用データを形成し、受信端末が設置された自動車の車種および／またはタイプに対応する配信用データを受信装置に配信するようになされている。
【００１６】
また、上述の配信システムは、送信装置が複数の自動車のタイプに対応する複数の配信用データを形成し、送信装置が受信端末に設置された自動車の車種に対応する配信用データを保持する場合には、自動車の車種に対応する配信用データを受信装置に配信し、送信装置が受信端末に設置された自動車の車種に対応する配信用データを保持しない場合には、自動車のタイプに対応する配信用データを受信装置に配信するようにすることが好ましい。
【００１７】
また、上述の配信システムは、配信サーバが複数の配信用データを公開する公開ポイントを備え、受信端末が受信端末の音響特性に応じた公開ポイントにアクセスすることにより、配信サーバが受信端末の音響特性に応じた配信用データを受信装置に配信することが好ましい。さらに、受信端末がウェブサーバを介して配信サーバの公開ポイントにアクセスすることが好ましい。
【００１８】
第２の発明は、ネットワークを介して複数の受信端末と双方向通信可能に接続された送信装置において、複数の受信端末のそれぞれの音響特性に応じた複数の補正係数を予め求め、オーディオ信号と補正係数とにより複数の補正オーディオ信号を形成する補正部と、複数の補正オーディオ信号を複数の配信用データに変換する変換部と、配信用データをネットワークを介して受信端末にそれぞれ配信する配信サーバとを備え、送信端末が受信端末の音響特性に対応する配信用データを当該受信端末に対して配信する送信装置である。
【００１９】
第３の発明は、異なる音響特性を有する複数の空間に対応する、オーディオ信号の補正を行うための複数の補正係数を算出するステップと、オーディオ信号と補正係数とを用いることにより補正オーディオ信号を形成するステップと、補正オーディオ信号を配信用データに変換し、配信用データを配信サーバに供給するステップと、受信端末からデータ配信要求があった場合に、受信端末の音響特性に対応する配信用データを配信サーバが受信端末に対して配信するステップとを備える配信方法である。
【００２０】
この発明では、複数の受信端末のそれぞれの音響特性に応じた複数の補正係数を求め、オーディオ信号と複数の補正係数とを用いて複数の補正オーディオ信号を形成し、複数の補正オーディオ信号を複数の配信用データに変換し、送信端末が受信端末の音響特性に対応する配信用データをネットワークを介して受信端末に対して配信するようにしているため、受信端末側に受信端末のそれぞれの音響特性に合わせてオーディオ信号の補正を行うための機構を設けることなく適切な配信用データを形成することができる。
【発明の効果】
【００２１】
この発明によれば、受信端末側に受信端末のそれぞれの音響特性に合わせてオーディオ信号の補正を行うための機構を設けることなく適切な配信用データを形成することができるため、ユーザは受信端末が設置された空間のオーディオ再生環境に応じた配信用データを得ることができる。
【発明を実施するための最良の形態】
【００２２】
以下、この発明の一実施形態について図面を参照しながら説明する。
【００２３】
図１は、この発明を適用することができる配信システムの一例を示すものである。この配信システムは、インターネットを介して、オーディオ信号を配信するようにしたものである。
【００２４】
図１において、１は送信装置としてのサービス事業者、２はマイクロホン、６は畳み込み処理フィルタ、７は車種別フィルタ群であり、１１は携帯再生端末であるヘッドホンステレオ、１２は受信装置が設置されたＴ社製の車種Ａの自動車（以下、自動車Ａと適宜称する）、１３は受信装置が設置されたＨ社製の車種Ｄの自動車（以下、自動車Ｄと適宜称する）、１４は受信装置が設置されたＴ社製の車種Ｂの自動車（以下、自動車Ｂと適宜称する）である。受信端末は、配信されたオーディオ信号を受信して再生するものである。
【００２５】
サービス事業者１側において、マイクロホン２で集音されたオーディオ信号やＣＤコントローラ４を介して出力されるＣＤプレーヤー３の出力信号は、ミクサー５に入力され、音声調整処理等が施されて出力される。ミクサー５からの出力されたオーディオ信号は、畳み込み処理フィルタ６に入力される。畳み込み処理フィルタ６には、車載された受信端末に送信するデータの補正を行う車種別フィルタ群７と、ヘッドホンステレオ等のヘッドホンを用いる受信端末に送信するデータの補正を行うヘッドホン用ＨＲＴＦ（Head Related Transfer Function）フィルタ８とからなる。ＨＲＴＦとは、人の頭部の伝達関数である。
【００２６】
なお、図１では車載された受信端末向けと、ヘッドホンを用いる受信端末向けとで異なるフィルタを用いるように記載しているが、これらを別々に構成する必要はない。また、車種別フィルタ群７は、例えばＴ社製自動車Ａ等、設定された車種の音響特性に合わせてオーディオ信号を補正するようにしたフィルタを設けるのではなく、例えばワンボックス、セダンおよびミニバン等、車タイプ別にフィルタを設けるようにしてもよい。車タイプ別にフィルタを設ける場合は、車タイプを数種類設け、市販されている自動車がいずれかのタイプに分類されるようにしておくことが好ましい。また、市販されている全年式の全車種の音響特性に合わせてオーディオ信号を補正する補正係数を車種別フィルタ群７に設定することは困難であるため、車種別フィルタと、車タイプ別フィルタとを併用してもよい。
【００２７】
畳み込み処理フィルタ６に入力されたオーディオ信号は、各自動車の車内空間の音響特性およびヘッドホンの音響特性に合わせてオーディオ信号を補正する処理装置にそれぞれ分けられて入力され、受信端末のオーディオ再生環境に応じてそれぞれオーディオ信号が補正される。なお、この後、図示しないストリーム生成部にて、補正されたオーディオ信号がインターネットで配信するためのストリーミング用データに変換される。
【００２８】
畳み込み処理フィルタ６は、それぞれ異なる畳み込み係数である補正係数をデータとして保持しており、その補正係数は、受信端末が配置された環境の音響特性に合わせてオーディオ信号を補正するものである。この発明の配信システムでは、例えば、自動車の室内で聴取した場合に音響特性がそれぞれ最良となる、すなわち配信前のオーディオ信号（原信号）と略同等の特性となるようなオーディオ信号を生成するための補正係数が保持された車種別フィルタ群７が設けられている。
【００２９】
図１の配信システムでは、Ｔ社製の自動車Ａ、Ｈ社製の自動車ＤおよびＴ社製の自動車Ｂを含むフィルタが設けられている。また、ヘッドホンを用いて聴取する場合には、一般的に頭内定位といわれる、音像が頭の中に定位してしまう現象が起きる。この現象を避けるため、この発明の配信システムでは、人の頭部の伝達関数（ＨＲＴＦ；Head Related Transfer Function）から得られる係数を保持したヘッドホン用ＨＲＴＦフィルタ８も設けられている。
【００３０】
ストリーミング用データには、補正したオーディオ信号のメタデータが付加されており、メタデータには、例えばどの車種に対応するストリーミング用データであるかを示す情報が含まれている。
【００３１】
変換された各ストリーミング用データは、配信サーバ９に入力される。そして、ヘッドホンステレオ１１、自動車Ａ１２、自動車Ｄ１３、自動車Ｂ１４等の受信端末からの配信要求があった場合には、インターネット１０を介して配信サーバ９からヘッドホンステレオ１１、自動車Ａ１２、自動車Ｄ１３、自動車Ｂ１４のそれぞれに対して、最適なストリーミング用データが配信される。
【００３２】
ストリーミング用データの配信を受ける受信端末は、上記配信サーバ９と双方向通信が可能な通信部（図示せず）を有している。受信端末は、自身のオーディオ再生環境に適合した配信データが存在するかを、ネットワークを介して配信サーバ９にアクセスすることにより判断する。例えば、ワンボックス型のＴ社製の自動車Ａ１２に取り付けられた受信端末は、配信サーバ９にアクセスしてＴ社製の自動車Ａ１２に対応するストリーミング用データが存在するかを判断し、対応するデータがある場合は、Ｔ社製の自動車Ａ１２に対応するストリーミング用データを受信する。なお、適切なストリーミング用データの有無の判断は、配信サーバ９側で行うようにしてもよい。また、対応するデータがない場合であって、例えば車タイプ別フィルタが設けられている場合は、配信サーバ９にアクセスしてワンボックス型自動車に対応するストリーミング用データを受信する。
【００３３】
受信端末には、例えば初期設定時に受信端末を配設する車種（Ｔ社製自動車Ａ等）や車タイプ、受信端末がヘッドホンステレオであること等、自身の属性を示す情報を予め設定しておく。また、受信端末を自動車に設定する場合で、畳み込み処理フィルタ６に車タイプ別のフィルタが設けられているときには、車タイプ（ワンボックス等）も同様に予め設定しておく。車タイプは、畳み込み処理フィルタ６に設定された車タイプのうちいずれかから選択するようにしておくことで、車種別フィルタ群７に設定されていない自動車で受信端末を用いる場合でも適切なストリーミング用データを受信することができる。
【００３４】
また、受信端末がインターネット上のウェブサーバを介して配信サーバ９にアクセスするようにしてもよい。一例として、例えば受信端末がホームページにアクセスし、車種や車タイプをクリック等により選択すると、リンク先の配信サーバ９から車種や車タイプに応じたストリーミング用データが配信されるようにすることができる。
【００３５】
上述の一実施形態では、マイクロホン２もしくはＣＤ（Compact Disc）プレーヤー３から入力されたオーディオ信号を配信する場合の構成を説明しているが、さらに、他のＡＶ機器を接続してシステムを構成することもできる。また、畳み込み処理フィルタ６と、ＡＶ機器との間にＡＤ変換器を配設することにより、アナログオーディオ信号を入力することもできる。
【００３６】
図２は、この発明を適用することができるストリーミングシステムの一例を示すものである。このストリーミングシステムは、Ｎ個の畳み込み処理装置２２ａないし２２ｎと、畳み込み処理に用いる補正係数を取得する係数取得部２０と、畳み込み処理装置２２ａないし２２ｎのそれぞれに出力する補正係数を保持する係数保持部２１と、畳み込み処理装置２２ａないし２２ｎから入力された補正後のオーディオ信号を、ストリーミング用データに変換するストリーム生成部２３ａないし２３ｎと、ストリーム生成部２３ａないし２３ｎから入力されたストリーミング用データをインターネットに配信する配信サーバ９からなる。
【００３７】
畳み込み処理装置２２ａないし２２ｎは、入力されたオーディオ信号に所定の補正係数を畳み込み、補正後のオーディオ信号として出力する装置である。Ｎ個の畳み込み装置２２ａないし２２ｎには、それぞれ同一のオーディオ信号が入力されている。また、Ｎ個の畳み込み装置により、音響特性がそれぞれ異なる配信先に設置された受信端末に向けてＮ種類のストリーミング用データを作成することができる。
【００３８】
図３に、畳み込み処理装置２２ａの一構成例を示す。なお、畳み込み処理装置２２ｂないし２２ｎも同様の構成である。畳み込み処理装置２２ａは、Ｍ個のデータレジスタ３１ａないし３１ｍと、Ｍ個の係数レジスタ３２ａないし３２ｍと、Ｍ個の乗算器３３ａないし３３ｍと、加算器３４とが設けられている。
【００３９】
係数レジスタ３２ａないし３２ｍには、係数保持部２１から入力された補正係数が保持されている。まず、オーディオ信号がデータレジスタ３１ａに入力される。その後、データレジスタ３１ａないし３１ｍのデータと、係数レジスタ３２ａないし３２ｍのデータとがそれぞれ乗算器３３ａないし３３ｍにて乗算され、その結果が全て加算器３４で加算されて出力される。
【００４０】
データレジスタ３１ａないし３１ｍのデータは１つずつ隣のデータレジスタ３１ｂないし３１ｍに移され、データレジスタ３１ａには次の新しいデータが入力される。このような処理を繰り返すことにより、入力されたオーディオ信号は与えられた補正係数による畳み込み処理が行われる。
【００４１】
畳み込み処理装置２２ａないし２２ｎから出力された畳み込み処理済のオーディオ信号は、ストリーム生成部２３ａないし２３ｎにそれぞれ入力される。ストリーム生成部２３ａないし２３ｎは、入力された畳み込み処理済のオーディオ信号、すなわち補正オーディオ信号をインターネットを介して送信可能な圧縮形式に変換する。変換された補正オーディオ信号、すなわち配信用データであるストリーミング用データは例えばＬＡＮ（Local Area Network）を通じて配信サーバ９に入力される。ストリーミング用データとしては、例えばウインドウズメディアオーディオや、リアルオーディオのようなフォーマットが選択される。
【００４２】
音場の補正係数である畳み込み係数は、以下のようにして求めることができる。
【００４３】
図４は、例えばマイクロプロセッサによりなされるソフトウェア処理を機能的なブロック図として表したものである。図４に示すように、例えば自動車の室内等、補正したい音場４０内にスピーカ４１とマイクロホン４２とを設置する。スピーカ４１には、係数取得部２０のスイープ信号発生器５１から発生させた、補正したい周波数帯域をスイープするスイープ信号を入力する。補正する周波数帯域は、例えば１００Ｈｚ以上１０ｋＨｚ等の、人間の耳で中心的に聴こえる範囲の周波数帯域とする。
【００４４】
次に、入力されたスイープ信号をスピーカ４１から放音させ、マイクロホン４２で集音する。マイクロホン４２で集音されたオーディオ信号は、例えば自動車の室内での音の反射などの影響を受けたオーディオ信号である。マイクロホン４２から出力されたオーディオ信号は、ＡＤ変換器５２でアナログ信号からデジタル信号に変換された後、フーリエ変換部５３でフーリエ変換される。フーリエ変換で得られた結果をＸ（ｗ）とする。
【００４５】
一方、スピーカ４１に入力された信号と同等のスイープ信号（原信号）も、ＡＤ変換器５４でアナログ信号からデジタル信号に変換された後、フーリエ変換部５５にてフーリエ変換される。このフーリエ変換で得られた結果をＳ（ｗ）とする。
【００４６】
次に、演算部５６にてＸ（ｗ）／Ｓ（ｗ）を算出することにより、音場４０の伝達関数であるＨ（ｗ）が得られる。続いて、演算部５７で１／Ｈ（ｗ）を算出することで音場４０で再生される音声を補正する伝達関数Ｃ（ｗ）が求められる。最後に、伝達関数Ｃ（ｗ）を逆フーリエ変換部５８にて逆フーリエ変換することにより、オーディオ信号を補正するための補正係数ｃ（ｍ）が得られる。
【００４７】
補正係数ｃ（ｍ）は、係数保持部２１に保持され、畳み込み処理装置２２ａないし２２ｎに入力される。
【００４８】
配信サーバ９は、ストリーム生成部２３ａないし２３ｎから入力されるストリーミング用データを、特定の公開ポイントを介してインターネットに配信する。公開ポイントは、ストリーム生成部２３ａないし２３ｎと同数のＮ個存在し、例えば“Ｔ−ｓｙａｓｙｕＡ”という名前の公開ポイントが例えばＴ社の自動車Ａ１２向けのストリーミング用データを生成するストリーム生成部２３ａに対応づけられ、“ＯｎｅＢｏｘ”という名前の公開ポイントが例えばワンボックス型の車種向けのストリーミング用データを生成するストリーム生成部２３ｎに対応づけられる。
【００４９】
配信サーバ９は、例えば“ＨｉＦｉＲａｄｉｏ”という名前とされると、Ｔ社製の自動車Ａに配設された受信端末が適切なストリーミング用データを受信する際には、
ｒｔｓｐ：／／ＨｉＦｉＲａｄｉｏ／Ｔ−ｓｙａｓｙｕＡ
というＵＲＬにアクセスすることになる。なお、ｒｔｓｐはプロトコルの形式の一例であり、このプロトコル形式で通信可能なクライアントソフトウェアが受信端末上に存在する必要がある。
【００５０】
Ｔ社製の自動車Ａに配設された受信端末が「ｒｔｓｐ：／／ＨｉＦｉＲａｄｉｏ／Ｔ−ｓｙａｓｙｕＡ」という公開ポイントを選択すると、ストリーム生成部２３ａで生成されたＴ社の自動車Ａ１２向けのストリーミング用データを受信することができる。
【００５１】
一方、車種別フィルタ群７に設定されていないＨ社製のワンボックス型の自動車Ｘに配設された受信端末が適切なストリーミング用データを受信する際には、例えば
ｒｔｓｐ：／／ＨｉＦｉＲａｄｉｏ／Ｈ−ｓｙａｓｙｕＸ
というＵＲＬにアクセスすることになる。ところが、Ｈ社製のワンボックス型の自動車Ｘに配設された受信端末が「ｒｔｓｐ：／／ＨｉＦｉＲａｄｉｏ／Ｈ−ｓｙａｓｙｕＸ」というＵＲＬにアクセスすると、車種別フィルタ群７にＨ社製の自動車Ｘが設定されていないため、対応するストリーミング用データが存在しないことになる。この場合、Ｈ社製の自動車Ｘは、ワンボックス型自動車向けのストリーミング用データを配信する「ｒｔｓｐ：／／ＨｉＦｉＣａｒＲａｄｉｏ／ＯｎｅＢｏｘ」というＵＲＬにアクセスしなおすことにより、ストリーム生成部２３ｎで生成されたワンボックス型自動車向けのストリーミング用データを受信することができる。
【００５２】
このとき、例えば公開ポイントにアクセスしてきた受信端末のオーディオ再生環境が、その公開ポイントを介して配信されるストリーミング用データに適しているかを確認するようにしてもよい。例えば、予め視聴者が受信端末の属性（車種、車タイプ等）を『Ｔ社製自動車Ａ、ワンボックス』と設定したにも関わらず、受信端末の処理のミスにより「ｒｔｓｐ：／／ＨｉＦｉＲａｄｉｏ／Ｈ−ｓｙａｓｙｕＤ」というＵＲＬにアクセスしてしまった場合、配信サーバ９が受信端末にアクセスして受信端末に設定された属性を確認するようにしておくことで、一致しない場合はデータ配信を行わないようにすることができる。この場合、再度受信端末から配信サーバに対して配信要求を行うことで、本来アクセスするべきＵＲＬにアクセスし、最適なストリーミング用データを受信することが可能となる。
【００５３】
このように、例えば車に最適化した配信システムの場合、クライアント側から車種固有の名称を公開ポイントとしてアクセスし、公開ポイントが存在しない場合は例えば車タイプのようなより広いカテゴリの公開ポイントにアクセスするようにすることで、より最適なストリーミング配信を行うことができる。
【００５４】
また、ヘッドホンステレオ１１でストリーミング用データを受信したい場合は、ヘッドホンステレオ１１向けのストリーミング用データを生成するストリーム生成部２３ｂに対応づけられた、例えば“Ｈｅａｄｐｈｏｎｅｓ”という名前の公開ポイントが設けられ、ヘッドホンステレオ１１側から「ｒｔｓｐ：／／ＨｉＦｉＲａｄｉｏ／Ｈｅａｄｐｈｏｎｅｓ」というＵＲＬにアクセスすると、ヘッドホンステレオ向けのストリーミング用データを受信することができる。
【００５５】
このように、予め補正を行ったストリーミング用データを複数種類用意し、受信端末の要求に応じて最適なストリーミング用データを配信するようにすることで、受信端末に補正機構を持たせることなく良好なストリーミング配信データを受信することができる。また、各車種にそれぞれ最適な音響特性を有するデータを配信することができるため、視聴者は快適にストリーミング配信データを視聴することができる。
【００５６】
以上、この発明の一実施形態について具体的に説明したが、この発明は、上述の一実施形態に限定されるものではなく、この発明の技術的思想に基づく各種の変形が可能である。
【００５７】
例えば、上述の一実施形態においては予め複数のストリーミング用データを配信サーバ９に入力するようにしているが、受信端末の要求に応じてリアルタイムで必要な補正を施しながらストリーミング用データを配信するようにしてもよい。
【００５８】
また、受信端末がストリーミング用データに含まれるメタデータを基に適切なストリーミング用データを自動的に選択してストリーミング配信データを受信するようにしてもよい。
【図面の簡単な説明】
【００５９】
【図１】この発明を適用することができる配信システムの一構成例を示す略線図である。
【図２】この発明を適用することができるストリーミングシステムの一構成例を示すブロック図である。
【図３】畳み込み処理装置２２ａの一構成例を示すブロック図である。
【図４】補正係数の取得方法の一例を示すブロック図である。
【符号の説明】
【００６０】
１・・・サービス事業者
２・・・マイクロホン
３・・・ＣＤプレーヤー
４・・・ＣＤコントローラ
５・・・ミクサー
６・・・畳み込み処理フィルタ
７・・・車種別フィルタ群
８・・・ヘッドホン用ＨＲＴＦフィルタ
９・・・配信サーバ
１０・・・インターネット
１１・・・ヘッドホンステレオ
１２・・・自動車Ａ
１３・・・自動車Ｄ
１４・・・自動車Ｂ
２０・・・係数取得部
２１・・・係数保持部
２２ａ〜２２ｎ・・・畳み込み処理装置
２３ａ〜２３ｎ・・・ストリーム生成部
３１ａ〜３１ｍ・・・データレジスタ
３２ａ〜３２ｍ・・・係数レジスタ
３３ａ〜３３ｍ・・・乗算器
３４・・・加算器
４０・・・音場
４１・・・スピーカ
４２・・・マイクロホン
【図１】
2009210826.tif 000003
【図２】
2009210826.tif 000004
【図３】
2009210826.tif 000005
【図４】
2009210826.tif 000006